(57)【要約】      （修正有）【課題】コード表示を使用して印刷物内の機密情報の秘匿性を高める。【解決手段】画像形成装置は、第１の画像データによって表される第１の画像のうち秘匿対象となる秘匿対象画像を再現するための秘匿対象データを生成する秘匿対象データ生成部と、秘匿対象データを取得するために利用される秘匿対象データ取得情報を格納する第１のコード表示を表す第１のコード画像データを生成する画像コード生成部と、予め想定された方向から見たときの見かけの形状が第１のコード表示の形状に近づくように第１のコード表示を変形して第２のコード表示を表す第２のコード画像データを生成する画像コード変形部と、第１の画像から秘匿対象画像を削除するとともに、第２のコード表示を挿入することによって生成された第２の画像を表す第２の画像データを生成する部分秘匿画像データ生成部と、第２の画像データに基づいて第２の画像を形成する画像形成部とを備える。【選択図】図１
2018198346.tif 000002
【特許請求の範囲】
【請求項１】
第１の画像データによって表される第１の画像のうち秘匿対象となる秘匿対象画像を再現するための秘匿対象データを生成する秘匿対象データ生成部と、
前記秘匿対象データを取得するために利用される秘匿対象データ取得情報を格納する第１のコード表示を表す第１のコード画像データを生成する画像コード生成部と、
予め想定された方向から見たときの見かけの形状が前記第１のコード表示の形状に近づくように前記第１のコード表示を変形して第２のコード表示を表す第２のコード画像データを生成する画像コード変形部と、
前記第１の画像から前記秘匿対象画像を削除するとともに、前記第２のコード表示を挿入することによって生成された第２の画像を表す第２の画像データを生成する部分秘匿画像データ生成部と、
前記第２の画像データに基づいて前記第２の画像を印刷媒体上に形成する画像形成部と、
を備える画像形成装置。
【請求項２】
請求項１記載の画像形成装置であって、さらに、
前記秘匿対象データを記憶する記憶部と、
前記秘匿対象データ取得情報の入力に応じて前記秘匿対象データを前記記憶部から読み出して提供する秘匿対象データ提供部と、
を備える画像形成装置。
【請求項３】
請求項２記載の画像形成装置であって、
前記記憶部は、前記予め想定された方向と前記第２のコード表示の撮像迎角との差である迎角誤差が予め想定された範囲内であるか否かを判断するための閾値を格納し、
前記秘匿対象データ提供部は、前記閾値を使用して前記迎角誤差が前記予め想定された範囲内であると判断した場合に、前記秘匿対象データを提供する画像形成装置。
【請求項４】
請求項１乃至３のいずれか１項に記載の画像形成装置であって、
前記部分秘匿画像データ生成部は、前記秘匿対象画像と少なくとも一部が重複する位置に前記第２のコード表示を挿入する画像形成装置。
【請求項５】
印刷物のセキュリティを向上させるための画像表示システムであって、
請求項２又は３に記載の画像形成装置と、
携帯端末と、
を備え、
前記携帯端末は、
前記第２のコード表示を撮像して撮像画像を表す撮像画像データを生成する撮像部と、
前記撮像画像データを解析して前記第２のコード表示を検出し、前記検出された第２のコード表示をデコードして前記秘匿対象データ取得情報を生成する画像解析部と、
前記秘匿対象データ取得情報を使用して前記画像形成装置から前記秘匿対象データを取得し、前記提供された秘匿対象データに基づいて再現された前記秘匿対象画像と前記撮像画像データとを合成して合成画像を生成する画像合成部と、
前記合成画像を表示する表示部と、
を有する画像表示システム。
【請求項６】
請求項５記載の画像表示システムであって、
前記画像合成部は、静止画として前記合成画像を生成し、
前記表示部は、前記静止画を表示する画像表示システム。
【請求項７】
請求項４乃至６のいずれか１項に記載の画像表示システムであって、
前記部分秘匿画像データ生成部は、前記第２のコード表示の位置に基づいて、前記撮像画像に対する前記秘匿対象画像の相対的位置を決定する画像表示システム。
【請求項８】
請求項４乃至７のいずれか１項に記載の画像表示システムであって、
前記部分秘匿画像データ生成部は、前記第２のコード表示の大きさに基づいて、前記撮像画像に対する前記秘匿対象画像の相対的な大きさを決定する画像表示システム。
【請求項９】
第１の画像データによって表される第１の画像のうち秘匿対象となる秘匿対象画像を再現するための秘匿対象データを生成する秘匿対象データ生成工程と、
前記秘匿対象データを取得するために利用される秘匿対象データ取得情報を格納する第１のコード表示を表す第１のコード画像データを生成する画像コード生成工程と、
予め想定された方向から見たときの見かけの形状が前記第１のコード表示の形状に近づくように前記第１のコード表示を変形して第２のコード表示を表す第２のコード画像データを生成する画像コード変形工程と、
前記第１の画像から前記秘匿対象画像を削除するとともに、前記第２のコード表示を挿入することによって生成された第２の画像を表す第２の画像データを生成する部分秘匿画像データ生成工程と、
前記第２の画像データに基づいて前記第２の画像を印刷媒体上に形成する画像形成工程と、
前記第２のコード表示を撮像して撮像画像を表す撮像画像データを生成する撮像工程と、
前記撮像画像データを解析して前記第２のコード表示を検出し、前記検出された第２のコード表示をデコードして前記秘匿対象データ取得情報を生成する画像解析工程と、
前記秘匿対象データ取得情報を使用して前記秘匿対象データを取得し、前記提供された秘匿対象データに基づいて再現された前記秘匿対象画像と前記撮像画像データとを合成して合成画像を生成する画像合成工程と、
前記合成画像を表示する表示工程と、
を備える画像表示方法。
【請求項１０】
画像形成装置を制御するための画像形成プログラムであって、
第１の画像データによって表される第１の画像のうち秘匿対象となる秘匿対象画像を再現するための秘匿対象データを生成する秘匿対象データ生成部、
前記秘匿対象データを取得するために利用される秘匿対象データ取得情報を格納する第１のコード表示を表す第１のコード画像データを生成する画像コード生成部、
予め想定された方向から見たときの見かけの形状が前記第１のコード表示の形状に近づくように前記第１のコード表示を変形して第２のコード表示を表す第２のコード画像データを生成する画像コード変形部、
前記第１の画像から前記秘匿対象画像を削除するとともに、前記第２のコード表示を挿入することによって生成された第２の画像を表す第２の画像データを生成する部分秘匿画像データ生成部、及び
前記第２の画像データに基づいて前記第２の画像を印刷媒体上に形成する画像形成部として前記画像形成装置を機能させるための画像形成プログラム。
【発明の詳細な説明】
【技術分野】
【０００１】
本発明は、機密情報の秘匿性の高い印刷物を生成するための画像形成技術に関する。
【背景技術】
【０００２】
近年、ＱＲコード（登録商標）を含む２次元コードが普及している。画像形成技術分野においては、特許文献１は、携帯端末による画像形成装置の制御を容易化するために２次元コードを利用する方法を提案している。この方法では、画像形成装置の表示装置は、画像形成装置のアドレス情報を含む２次元コードを表示する。携帯端末は、２次元コードを読み取ってアドレス情報を取得して画像形成装置にアクセスすることができる。これにより、ユーザーは、携帯端末へのアドレス情報の手動入力を不要として、携帯端末による画像形成装置の利用を容易化することができる。
【先行技術文献】
【特許文献】
【０００３】
【特許文献１】特開２００７−３４４４３号公報
【発明の概要】
【発明が解決しようとする課題】
【０００４】
しかし、印刷物を生成する方法において、２次元コードのようなコード表示を使用して機密情報の秘匿性を高める観点からは十分に検討されていなかった。
【０００５】
本発明は、このような状況に鑑みてなされたものであり、コード表示を使用して印刷物内の機密情報の秘匿性を高める技術を提供することを目的とする。
【課題を解決するための手段】
【０００６】
本発明の画像形成装置は、第１の画像データによって表される第１の画像のうち秘匿対象となる秘匿対象画像を再現するための秘匿対象データを生成する秘匿対象データ生成部と、前記秘匿対象データを取得するために利用される秘匿対象データ取得情報を格納する第１のコード表示を表す第１のコード画像データを生成する画像コード生成部と、予め想定された方向から見たときの見かけの形状が前記第１のコード表示の形状に近づくように前記第１のコード表示を変形して第２のコード表示を表す第２のコード画像データを生成する画像コード変形部と、前記第１の画像から前記秘匿対象画像を削除するとともに、前記第２のコード表示を挿入することによって生成された第２の画像を表す第２の画像データを生成する部分秘匿画像データ生成部と、前記第２の画像データに基づいて前記第２の画像を印刷媒体上に形成する画像形成部とを備える。
【０００７】
本発明は、印刷物のセキュリティを向上させるための画像表示システムを提供する。前記画像形成システムは、前記画像形成装置と、携帯端末と、を備え、前記携帯端末は、前記第２のコード表示を撮像して撮像画像を表す撮像画像データを生成する撮像部と、前記撮像画像データを解析して前記第２のコード表示を検出し、前記検出された第２のコード表示をデコードして前記秘匿対象データ取得情報を生成する画像解析部と、前記秘匿対象データ取得情報を使用して前記画像形成装置から前記秘匿対象データを取得し、前記提供された秘匿対象データに基づいて再現された前記秘匿対象画像と前記撮像画像データとを合成して合成画像を生成する画像合成部と、前記合成画像を表示する表示部とを有する。
【０００８】
本発明の画像表示方法は、第１の画像データによって表される第１の画像のうち秘匿対象となる秘匿対象画像を再現するための秘匿対象データを生成する秘匿対象データ生成工程と、前記秘匿対象データを取得するために利用される秘匿対象データ取得情報を格納する第１のコード表示を表す第１のコード画像データを生成する画像コード生成工程と、予め想定された方向から見たときの見かけの形状が前記第１のコード表示の形状に近づくように前記第１のコード表示を変形して第２のコード表示を表す第２のコード画像データを生成する画像コード変形工程と、前記第１の画像から前記秘匿対象画像を削除するとともに、前記第２のコード表示を挿入することによって生成された第２の画像を表す第２の画像データを生成する部分秘匿画像データ生成工程と、前記第２の画像データに基づいて前記第２の画像を印刷媒体上に形成する画像形成工程と、前記第２のコード表示を撮像して撮像画像を表す撮像画像データを生成する撮像工程と、前記撮像画像データを解析して前記第２のコード表示を検出し、前記検出された第２のコード表示をデコードして前記秘匿対象データ取得情報を生成する画像解析工程と、前記秘匿対象データ取得情報を使用して前記秘匿対象データを取得し、前記提供された秘匿対象データに基づいて再現された前記秘匿対象画像と前記撮像画像データとを合成して合成画像を生成する画像合成工程と、前記合成画像を表示する表示工程とを備える。
【０００９】
本発明は、画像形成装置を制御するための画像形成プログラムを提供する。前記画像形成プログラムは、第１の画像データによって表される第１の画像のうち秘匿対象となる秘匿対象画像を再現するための秘匿対象データを生成する秘匿対象データ生成部、前記秘匿対象データを取得するために利用される秘匿対象データ取得情報を格納する第１のコード表示を表す第１のコード画像データを生成する画像コード生成部、予め想定された方向から見たときの見かけの形状が前記第１のコード表示の形状に近づくように前記第１のコード表示を変形して第２のコード表示を表す第２のコード画像データを生成する画像コード変形部、前記第１の画像から前記秘匿対象画像を削除するとともに、前記第２のコード表示を挿入することによって生成された第２の画像を表す第２の画像データを生成する部分秘匿画像データ生成部、及び前記第２の画像データに基づいて前記第２の画像を印刷媒体上に形成する画像形成部として前記画像形成装置を機能させる。
【発明の効果】
【００１０】
本発明によれば、コード表示を使用して印刷物内の機密情報の秘匿性を高める技術を提供することができる。
【図面の簡単な説明】
【００１１】
【図１】本発明の一実施形態に係るセキュリティ印刷システム１０の機能構成を示すブロックダイアグラムである。
【図２】一実施形態に係る部分秘匿印刷物生成処理の内容を示すフローチャートである。
【図３】秘匿すべき機密情報を含む印刷物に表示されている元画像Ｄ１を示す説明図である。
【図４】一実施形態に係るセキュリティ印刷システム１０において秘匿対象データと部分秘匿画像データとが生成される様子を示す概念図である。
【図５】機密情報が削除された印刷物に表示されている部分秘匿画像Ｄ２を示す説明図である。
【図６】部分秘匿画像Ｄ２から機密情報を再現するための処理の内容を示すフローチャートである。
【図７】部分秘匿画像Ｄ２の秘匿済み領域ＳＰ３を撮像する様子を示す説明図である。
【発明を実施するための形態】
【００１２】
以下、本発明を実施するための形態（以下、「実施形態」という）を、図面を参照して説明する。
【００１３】
図１は、本発明の一実施形態に係るセキュリティ印刷システム１０の機能構成を示すブロックダイアグラムである。セキュリティ印刷システム１０は、画像形成装置１００と、スマートフォン２００とを備えている。画像形成装置１００は、制御部１１０と、画像形成部１２０と、操作表示部１３０と、記憶部１４０と、通信インターフェース部１５０と、自動原稿送り装置（ＡＤＦ）１６０とを備えている。スマートフォン２００は、制御部２１０と、操作表示部２３０と、記憶部２４０と、通信インターフェース部２５０と、撮像部２６０とを備えている。スマートフォン２００は、通信インターフェース部２５０を使用し、インターネット３００を介して画像形成装置１００と接続可能である。
【００１４】
スマートフォン２００は、通信インターフェース部２５０を使用して画像形成装置１００と近距離無線通信でも接続可能である。近距離無線通信は、本実施形態では、ＢＬＵＥＴＯＯＴＨ（登録商標）のＣＬＡＳＳ１を使用している。ＢＬＵＥＴＯＯＴＨ（登録商標）のＣＬＡＳＳ１は、最大出力１００ｍＷの通信であり、画像形成装置１００とスマートフォン２００との距離が１００ｍ以内程度での通信が可能な近距離無線通信である。
【００１５】
画像形成部１２０は、原稿から画像を読み取って画像データを生成する画像読取部１２１と、印刷設定に従って画像データを処理する画像処理部１２２と、処理された画像データに基づいて印刷媒体上に印刷を行う画像出力部１２３とを備えている。
【００１６】
制御部１１０，２１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェースに関連するコントローラ機能を備え、それぞれ画像形成装置１００及びスマートフォン２００の全体を制御する。
【００１７】
記憶部１４０，２４０は、非一時的な記録媒体であるハードディスクドライブやフラッシュメモリー等からなる記憶装置で、それぞれ制御部１１０，２１０が実行する処理の制御プログラム（画像形成プログラム）やデータを記憶する。記憶部１４０は、秘匿対象データデータベース１４１を記憶している。操作表示部１３０，２３０は、タッチパネルとして機能し、様々なメニューを入力画面として表示し、ユーザーの操作入力を受け付ける。
【００１８】
図２は、一実施形態に係る部分秘匿印刷物生成処理の内容を示すフローチャートである。図３は、秘匿すべき機密情報を含む印刷物に表示されている元画像Ｄ１を示す説明図である。元画像Ｄ１は、文字を表示している領域（文字Ａで擬似的に表示）と、秘匿対象関連領域ＳＰ１とを表している。秘匿対象関連領域ＳＰ１は、秘匿対象となる画像である秘匿対象画像Ｔに関連している領域である。機密情報には、たとえば営業秘密や個人情報が含まれる。元画像Ｄ１は、第１の画像とも呼ばれる。
【００１９】
この例では、セキュリティ印刷システム１０は、元画像Ｄ１内の秘匿対象関連領域ＳＰ１の秘匿対象画像Ｔを秘匿するものとする。秘匿対象画像Ｔは、機密情報として「６４Ｂｉｔ  ９ＧＨｚ」、「ＤＤＲｘ  １００ＧＢ」及び「ＳＤＤ  １ＴＢ」のテキストを囲む矩形枠に囲まれた矩形領域ＳＰ２の内部の画像である。矩形枠ＳＰ２は、画像ではなく仮想の枠である。
【００２０】
ステップＳ１１０では、画像形成装置１００の画像読取部１２１は、スキャンデータ生成処理を実行する。スキャンデータ生成処理では、画像読取部１２１は、印刷物に表示されている元画像Ｄ１を読み取って元画像データを生成する処理である。元画像データは、第１の画像データとも呼ばれる。
【００２１】
ステップＳ１２０では、ユーザーは、秘匿部指定処理を実行する。秘匿部指定処理では、ユーザーは、操作表示部１３０に表示されている元画像Ｄ１の一部を拡大して秘匿対象関連領域ＳＰ１を表示させる。ユーザーは、たとえば指でなぞることによって秘匿対象画像Ｔを指定することができる。
【００２２】
ユーザーは、さらに、操作表示部１３０を介して設定迎角αと撮像距離Ｌと閾値Ｔｈとを入力することができる。設定迎角αは、スマートフォン２００で秘匿対象関連領域ＳＰ１を撮像する際に想定されている印刷物に対する撮像迎角である。設定迎角αは、２次元コード（後述）の変形の程度を規定する。撮像距離Ｌは、撮像時に想定されている撮像距離であり、２次元コードのサイズ（大きさ）を規定する。閾値は、撮像迎角や撮像距離の許容誤差を規定することができる。
【００２３】
図４は、一実施形態に係るセキュリティ印刷システム１０において秘匿対象データと部分秘匿画像データとが生成される様子を示す概念図である。秘匿対象データは、この例では、秘匿対象画像Ｔを表している秘匿対象画像データである。秘匿対象画像データは、矩形領域ＳＰ２の内部の画像を表しているデータである。部分秘匿画像データは、秘匿済み領域ＳＰ３を一部に含んでいる部分秘匿画像を表すデータである。秘匿済み領域ＳＰ３は、秘匿対象関連領域ＳＰ１から秘匿対象画像Ｔが削除されるとともに、秘匿対象画像Ｔの位置に２次元コードＱ２（後述）が挿入された画像を表している。
【００２４】
ステップＳ１３０では、画像形成装置１００の制御部１１０は、秘匿対象データ生成部として機能し、秘匿対象データ生成処理を実行する。秘匿対象データ生成処理では、制御部１１０は、秘匿対象画像Ｔを表す秘匿対象画像データを生成する。秘匿対象画像Ｔは、元画像Ｄ１から矩形枠ＳＰ２の内部をクリッピングすることによって生成される。制御部１１０は、記憶部１４０の秘匿対象データデータベース１４１に秘匿対象画像データを登録する。
【００２５】
ステップＳ１４０では、制御部１１０は、画像コード生成部として機能し、２次元コード生成処理を実行する。２次元コード生成処理では、制御部１１０は、２次元コードＱ１を表すコード画像データ（第１のコード画像データ）を生成する。２次元コードＱ１には、秘匿対象データデータベース１４１から秘匿対象画像データを取得するための情報である秘匿対象データ取得情報がエンコードされて格納されている。この例では、２次元コードＱ１は、ＱＲコード（登録商標）であり、第１のコード表示とも呼ばれる。
【００２６】
ステップＳ１５０では、制御部１１０は、画像コード変形部として機能し、２次元コード変形処理を実行する。２次元コード変形処理では、制御部１１０は、設定迎角αを使用して２次元コードＱ１の形状を変形させる。制御部１１０は、予め想定された方向として迎角αで見たときの見かけの形状が２次元コードＱ１の形状に近づくように２次元コードＱ１の画像を変形することによって２次元コードＱ２の画像を表す第２のコード画像データを生成する。
【００２７】
これにより、正方形の形状を有する２次元コードＱ１は、台形の形状を有する２次元コードＱ２に変形されることになる。２次元コードＱ２は、図４に示されるように、比較的に長い上底（長さＷ１）と、比較的に短い下底（長さＷ２）とを有している。２次元コードＱ２は、ユーザーが想定した方向から撮像した場合には、見かけの形状が正方形に近づくように構成されている。２次元コードＱ２は、第２のコード表示とも呼ばれる。
【００２８】
ステップＳ１６０では、制御部１１０は、部分秘匿画像データ生成部として機能し、部分秘匿画像データ生成処理を実行する。部分秘匿画像データ生成処理では、制御部１１０は、元画像Ｄ１から秘匿対象画像Ｔを削除するとともに、矩形枠ＳＰ２の内部に変形後の２次元コードＱ２を挿入して秘匿済み領域ＳＰ３を生成する。このように、たとえば秘匿対象画像Ｔと少なくとも一部が重複する位置に２次元コードＱ２を挿入すれば、機密情報が関連する記載の近傍を撮像することによって円滑に機密情報を取得することができる。
【００２９】
これにより、制御部１１０は、機密情報の代わりに２次元コードＱ２が挿入された部分秘匿画像Ｄ２を表す部分秘匿画像データを生成することができる。部分秘匿画像Ｄ２は、第２の画像とも呼ばれる。部分秘匿画像データは、第２の画像データとも呼ばれる。
【００３０】
図５は、機密情報が削除された印刷物に表示されている部分秘匿画像Ｄ２を示す説明図である。この例では、ユーザーは、印刷物の下側の斜め方向から部分秘匿画像Ｄ２を見ることになるので、２次元コードＱ２は、見かけの形状が２次元コードＱ２の実際の形状よりも２次元コードＱ１の形状に近づくことになる。
【００３１】
ステップＳ１７０では、画像形成装置１００は、画像形成処理を実行する。画像形成処理では、画像出力部１２３は、部分秘匿画像データに基づいて印刷媒体上に部分秘匿画像Ｄ２を形成して印刷物として出力する。
【００３２】
図６は、部分秘匿画像Ｄ２から機密情報を再現するための処理の内容を示すフローチャートである。図７は、部分秘匿画像Ｄ２の秘匿済み領域ＳＰ３を撮像する様子を示す説明図である。この例では、ユーザーは、たとえば混雑した電車の座席に座って印刷物に表示されている部分秘匿画像Ｄ２を読んでいるものとする。この処理では、スマートフォン２００は、部分秘匿画像Ｄ２において秘匿されている機密情報を操作表示部２３０に表示させることができる。
【００３３】
ステップＳ２１０では、スマートフォン２００の撮像部２６０は、部分秘匿画像Ｄ２の秘匿済み領域ＳＰ３を撮像する。撮像部２６０は、撮像した秘匿済み領域ＳＰ３の撮像画像から画像データ（撮像画像データとも呼ばれる。）を生成する。
【００３４】
ステップＳ２２０では、スマートフォン２００の制御部２１０は、２次元コード解析処理を実行する。２次元コード解析処理では、制御部２１０は、画像解析部として機能し、撮像画像データを解析して２次元コードＱ２を検出し、検出された２次元コードＱ２をデコードする。制御部２１０は、２次元コードＱ２をデコードすることによって秘匿対象データデータベース１４１から秘匿対象画像データを取得するための秘匿対象データ取得情報を取得することができる。
【００３５】
ステップＳ２３０では、制御部２１０は、撮影迎角算出処理を実行する。撮影迎角算出処理では、制御部２１０は、撮像画像における２次元コードＱ２の上底の長さＷ１と下底の長さＷ２の比に基づいて撮像迎角θ１を推定する。
【００３６】
設定迎角αは、スマートフォン２００で秘匿済み領域ＳＰ３を撮像する際に想定されている印刷物に対する迎角である（ステップＳ１２０参照）。閾値Ｔｈは、秘匿部指定処理（ステップＳ１２０）で撮像迎角の許容誤差として設定されている閾値である。この例では、設定迎角αは、図７（ａ）に示されるように、ユーザーＵＰは、部分秘匿画像Ｄ２の下方からスマートフォン２００の撮像部２６０を使用して撮像迎角θ１で撮像することを想定している。
【００３７】
ステップＳ２４０では、制御部２１０は、迎角誤差が予め設定されている閾値Ｔｈ未満（すなわち予め想定された範囲内）であるか否かを判断し、閾値Ｔｈ未満となった場合に処理をステップＳ２５０に進める。迎角誤差は、２次元コードＱ２の撮像画像に基づいて推定された撮像迎角θ１と設定迎角αとの角度差（絶対値）である。これにより、ユーザーＵＰは、処理をステップＳ２５０に進めることができる一方、不特定の人間ＡＰのスマートフォン２００は、撮像迎角θ２（撮像迎角θ１とは反対側で符号も相違）と設定迎角αとの角度差が大きく、処理をステップＳ２５０に進めることができない。
【００３８】
ステップＳ２５０では、制御部２１０は、機密情報取得処理を実行する。機密情報取得処理では、制御部２１０は、２次元コードＱ２をデコードすることによって取得した秘匿対象データ取得情報を利用して秘匿対象画像Ｔを表す秘匿対象画像データを取得する。この例では、電車の車内なので、秘匿対象画像データは、インターネット３００を介して画像形成装置１００の記憶部１４０に記憶されている秘匿対象データデータベース１４１から取得される。
【００３９】
画像形成装置１００の制御部１１０は、秘匿対象データ提供部として機能し、スマートフォン２００からの秘匿対象データ取得情報の入力に応じて秘匿対象画像データを提供する。なお、迎角誤差が予め設定されている範囲内であるか否かは、画像形成装置１００の制御部１１０で判断するようにしてもよい。この場合には、迎角誤差が予め設定されている範囲内であると制御部１１０が判断した場合に、制御部１１０は、秘匿対象画像データを提供する。
【００４０】
ステップＳ２６０では、制御部２１０は、画像合成部として機能し、機密情報画像合成処理を実行する。機密情報画像合成処理では、制御部２１０は、撮像画像データと秘匿対象画像データとを合成する。制御部２１０は、２次元コードＱ２の見かけのサイズ（大きさ）に基づいて秘匿対象画像Ｔのサイズ（大きさ）を調整し、たとえば２次元コードＱ２の位置（たとえば２次元コードＱ２の中心位置や特定の角部）を基準として撮像画像データの内部に秘匿対象画像Ｔを配置する。すなわち、制御部２１０は、２次元コードＱ２の見かけのサイズ（大きさ）に基づいて撮像画像に対する秘匿対象画像Ｔの相対的な大きさを決定し、２次元コードＱ２の位置に基づいて、撮像画像に対する秘匿対象画像Ｔの相対的位置を決定することができる。
【００４１】
ステップＳ２７０では、制御部２１０は、機密情報表示処理を実行する。機密情報表示処理では、制御部２１０は、撮像画像データの内部に秘匿対象画像Ｔが配置された合成画像を操作表示部２３０に表示する。操作表示部２３０は、撮像部２６０による撮像画像の変動に応じて自動的に合成状態を更新するようにしてもよいし、あるいは静止画像として一定時間表示するようにしてもよい。操作表示部２３０は、単に表示部とも呼ばれる。
【００４２】
このように、セキュリティ印刷システム１０は、印刷物を読む際には、画像表示システムとして機能することができる。操作表示部２３０が静止画像として表示する場合には、ユーザーＵＰは、他の人から見えないようにスマートフォン２００の向きを撮像方向から変更して静止画像を見ることもできる。
【００４３】
このように、一実施形態に係るセキュリティ印刷システム１０によれば、必要に応じてユーザーＵＰが予め想定されている撮像迎角で２次元コードＱ２を撮像すれば、その撮像部位に関連する機密情報を取得することができる。これにより、セキュリティ印刷システム１０は、不特定の人に囲まれた状態でも高い機密性を維持可能な印刷物を出力することができる。
【００４４】
Ｃ．変形例：
本発明は、上記各実施形態だけでなく、以下のような変形例でも実施することができる。
【００４５】
変形例１：上記実施形態では、ユーザーは、部分秘匿画像Ｄ２を読む場合の視線の方向の近傍としての撮像迎角θ１で撮像することを想定しているが、撮像迎角θは、様々な角度に設定することができる。具体的には、たとえば不特定の人間による２次元コードの読取りをさらに困難とするために、たとえば図７（ｂ）に示されるような撮像迎角θ１ａに近い角度に設定迎角を設定するようにしてもよい。
【００４６】
変形例２：上記実施形態では、秘匿対象データは、秘匿対象画像Ｔを表している秘匿対象画像データであるが、秘匿対象データは、たとえば秘匿対象画像Ｔに対してＯＣＲ処理を実行してテキストデータに変換して秘匿対象データデータベースに登録してもよい。このように、秘匿対象データは、秘匿対象画像を再現するためのデータであればよい。
【００４７】
変形例３：上記実施形態では、元画像データは、元画像Ｄ１を読み取って生成されているが、たとえば画像形成装置１００が受信した印刷ジョブに含まれている画像データにも本発明は適用可能である。さらに、本発明は、画像データがページ記述言語で記述されている場合には、秘匿部指定処理（ステップＳ１２０）においてオブジェクトを指定できるように画像形成装置１００を構成してもよい。
【００４８】
こうすれば、画像形成装置１００は、ページ記述言語の編集によって部分秘匿画像を生成し、指定されたオブジェクトの関連情報を使用して秘匿対象データを生成することもできる。
【００４９】
変形例４：上記実施形態では、携帯端末としてスマートフォンが使用されているが、本発明は、無線通信が可能であればタブレットといった携帯端末に適用可能である。
【符号の説明】
【００５０】
１０  セキュリティ印刷システム
１００  画像形成装置
１１０，２１０  制御部
１２０  画像形成部
１２１  画像読取部
１２２  画像処理部
１２３  画像出力部
１３０，２３０  操作表示部
１４０，２４０  記憶部
１４１  秘匿対象データデータベース
１５０，２５０  通信インターフェース部
１６０  自動紙送り装置（ＡＤＦ）
２００  スマートフォン
２６０  撮像部
３００  インターネット
【図１】
2018198346.tif 000003
【図２】
2018198346.tif 000004
【図３】
2018198346.tif 000005
【図４】
2018198346.tif 000006
【図５】
2018198346.tif 000007
【図６】
2018198346.tif 000008
【図７】
2018198346.tif 000009